(57)【要約】【課題】室内の空気を脱臭フィルタにて脱臭して室内に戻す循環状態において、脱臭フィルタの脱臭機能が早期に低下することを抑制しながらも、空気の脱臭を良好に行うことができ、しかも、脱臭フィルタを適切な状態に維持するためのメンテナンス作業を良好に行えるレンジフードを提供する。【解決手段】排気用吸込口Ｅａと排気用吹出口とを連通する排気通路Ｈ及び排気用ファンを備えたレンジフード本体Ｆに、循環用吸込口Ｄａと当該循環用吸込口Ｄａからの空気を室内に吹出す循環用吹出口とを連通する循環通路Ｊ、循環用ファン、当該循環通路Ｊを流動する空気に対して除塵作用する除塵フィルタＮ、及び、当該除塵フィルタＮを通過した後の空気に対して脱臭作用する脱臭フィルタが設けられ、除塵フィルタＮが、レンジフード本体Ｆの下方側から着脱自在に構成されている。【選択図】図１０
2018021719.tif 000002
【特許請求の範囲】
【請求項１】
排気用吸込口と排気用吹出口とを連通する排気通路、及び、当該排気通路に通風作用する排気用ファンと、
循環用吸込口と当該循環用吸込口から吸込まれた空気を室内に吹出す循環用吹出口とを連通する循環通路、及び、当該循環通路に通風作用する循環用ファンと、
当該循環通路を流動する空気に対して除塵作用する除塵フィルタ、及び、当該除塵フィルタを通過した後の空気に対して脱臭作用する脱臭フィルタと、
が設けられたレンジフード本体を備え、
前記除塵フィルタが、前記レンジフード本体の下方側から着脱自在に構成されているレンジフード。
【請求項２】
前記レンジフード本体は、前記排気用吸込口が下方側に形成されたフード部と、当該フード部の上部に設けられ、かつ、前記排気用ファン及び前記循環用ファンを収容するファンケースと、を備え、
前記ファンケースは、ケース前壁部に前記循環用吸込口が形成され、
前記除塵フィルタは、前記ケース前壁部に沿う板状に形成された形態で、前記ケース前壁部の裏側箇所に配置され、
前記フード部の内面部には、前記除塵フィルタを着脱するためのスリット状のフィルタ挿脱孔が形成されている請求項１記載のレンジフード。
【請求項３】
前記フィルタ挿脱孔を覆う長尺状のカバー体が、前記フード部の内面部に着脱自在に設けられている請求項２記載のレンジフード。
【請求項４】
排気の流れを整流する整流板が、前記フード部の内方側に、前記フィルタ挿脱孔を覆う形態で着脱自在に設けられ、
前記排気用吸込口が、前記整流板の外周縁に沿って環状に形成されている請求項２又は３に記載のレンジフード。
【請求項５】
前記脱臭フィルタが、前記循環用ファンよりも前記循環通路における上流側に位置する形態で前記ファンケースに装着されている請求項２〜４のいずれか１項に記載のレンジフード。
【請求項６】
前記ファンケースの前面側には、当該ファンケースを覆う幕板が設けられ、当該幕板には、当該幕板よりも前面側にある空気を前記循環用吸込口に向けて通過させる吸込用空気通過部が形成されている請求項２〜５のいずれか１項に記載のレンジフード。
【請求項７】
前記循環用吹出口を備え、前記ファンケースからの循環用の空気を案内する通気ダクトが、前記ファンケースの上部に接続され、
前記幕板に、前記循環用吹出口からの空気を当該幕板の前面側に通過させる吹出用空気通過部が形成されている請求項６記載のレンジフード。
【請求項８】
前記フード部が、下向き開口の有底筒状のフードケースの内部に、下向き開口の有底筒状の内装パネルを備え、かつ、前記フードケースの側壁を形成するケース側壁部と前記内装パネルの側壁を形成するパネル側壁とを間隔を隔てて位置する形態に構成され、
前記内装パネルが、前記パネル側壁部の下端から外方に向けて延出するパネル下壁部を備えるように構成され、
前記ケース側壁部には、前記循環用吹出口が形成され、
前記ファンケースからの循環用の空気を前記循環用吹出口に案内する空気案内体が、前記ケース側壁部と前記パネル側壁部との間に位置する形態で設けられている請求項２〜６のいずれか１項に記載のレンジフード。
【請求項９】
前記循環用吹出口が、前記ケース側壁部のうちの、横側部に対応する横側壁部分に形成されている請求項８記載のレンジフード。
【請求項１０】
前記空気案内体が、前記フードケースの上壁部と、断面形状がＵ字状を有し、かつ、前記上壁部に密着する通路形成部材とから構成されている請求項８又は９記載のレンジフード。
【請求項１１】
前記排気用ファン及び前記循環用ファンの運転を制御する制御部をさらに備え、
前記制御部は、前記排気用ファンの運転条件が満たされたことを条件として、前記循環用ファンを停止させた状態で前記排気用ファンを運転し、かつ、前記循環用ファンの運転条件が満たされたことを条件として、前記排気用ファンを停止させた状態で前記循環用ファンを運転するように構成されている請求項１〜１０のいずれか１項に記載のレンジフード。
【発明の詳細な説明】
【技術分野】
【０００１】
本発明は、レンジフードに関する。
【背景技術】
【０００２】
かかるレンジフードは、ガスコンロやＩＨ調理器等の加熱調理器にて加熱される鍋等から排出される調理排気を外部に排出するために使用されることになり、一般には、キッチンに設置された加熱調理器の上方箇所としてのキッチンの天井の近くに設けられることになる。
つまり、レンジフードは、排気用吸込口と排気用吹出口とを連通する排気通路、及び、当該排気通路に通風作用する排気用ファンを備えたレンジフード本体を設ける形態に構成されて、このレンジフード本体が、キッチンの天井の近くに設けられることになる。
【０００３】
ところで、加熱調理器を使用する加熱調理中においては調理排気が外部に排出されることになるものの、加熱調理が終了した後にも、キッチンが設置されている室内の空間には臭気が残ることになる。そのような臭気を無くすために、排気用ファンを作動させ続けると、空調されている室内の空気が排出されてしまう等の不都合が生じることになる。
【０００４】
そこで、室内から吸い込んだ空気を、脱臭フィルタを通して脱臭し、脱臭した空気を室内に戻す形態で、室内の空気を循環させる機能を、レンジフードに備えさせることが考えられる。
このようなレンジフードとして、空気を室内に向けて吹出す空気吹出口、排気通路の途中から分岐して、排気通路を流動する空気を空気吹出口に導く戻し用通路、及び、排気通路を通して流動する空気を、そのまま排気用吹出口に向けて流動させる排気状態と排気通路を通して流動する空気を、戻し用通路を通して空気吹出口に向けて流動させる循環状態とに切換える通路切換部（ダンパ）を設け、そして、脱臭フィルタを戻し用通路に設けるようにしたものがある（例えば、特許文献１（段落〔００２８〕、図１２）参照。）。
【０００５】
すなわち、特許文献１のレンジフードにおいては、排気用吸込口から排気用ファンによって吸い込んだ空気を、排気状態においては、排気通路を流動させて排気用吹出口から排出し、かつ、循環状態においては、排気通路及び戻し用通路を流動させて、脱臭フィルタにて脱臭してから、空気吹出口から室内に吹き出すように構成されている。
【先行技術文献】
【特許文献】
【０００６】
【特許文献１】特許第３７８００５０号公報
【発明の概要】
【発明が解決しようとする課題】
【０００７】
従来のレンジフードでは、循環状態において、脱臭フィルタにて脱臭しても、臭い成分が残り易い不利があり、また、脱臭フィルタの脱臭機能が早期に低下し易い不利があり、改善が望まれる。
【０００８】
すなわち、従来のレンジフードでは、循環状態において、排気用吸込口から排気用ファンによって空気を吸込み、吸込んだ空気を排気通路の一部を流動させることになるので、脱臭フィルタにて脱臭される空気が、排気用ファンや排気通路に付着している臭い成分を含むことになるため、脱臭フィルタにて脱臭される空気には、多量の臭い成分が含まれる傾向となる。
その結果、脱臭フィルタにて脱臭しても、臭い成分が残り易い傾向があり、しかも、脱臭フィルタの脱臭機能が早期に低下し易い傾向がある。
【０００９】
本発明は、上記実状に鑑みて為されたものであって、その目的は、室内の空気を脱臭フィルタにて脱臭して室内に戻す循環状態において、脱臭フィルタの脱臭機能が早期に低下することを抑制しながらも、空気の脱臭を良好に行うことができ、しかも、脱臭フィルタを適切な状態に維持するためのメンテナンス作業を良好に行えるレンジフードを提供する点にある。
【課題を解決するための手段】
【００１０】
本発明のレンジフードは、排気用吸込口と排気用吹出口とを連通する排気通路、及び、当該排気通路に通風作用する排気用ファンと、
循環用吸込口と当該循環用吸込口から吸込まれた空気を室内に吹出す循環用吹出口とを連通する循環通路、及び、当該循環通路に通風作用する循環用ファンと、
当該循環通路を流動する空気に対して除塵作用する除塵フィルタ、及び、当該除塵フィルタを通過した後の空気に対して脱臭作用する脱臭フィルタと、
が設けられたレンジフード本体を備え、
前記除塵フィルタが、前記レンジフード本体の下方側から着脱自在に構成されている点にある。
【００１１】
すなわち、室内の空気を脱臭フィルタにて脱臭して室内に戻す循環状態においては、循環用ファンによって循環用吸込口から吸込んだ空気を、循環通路を通して流動させて循環用吹出口から室内に吹出すことになる。
そして、循環通路を流動する空気は、除塵フィルタにて塵埃が除去された後、脱臭フィルタにて臭い成分が除去され、その後、循環用吸込口から室内に吹出されることになる。
【００１２】
したがって、室内の空気を脱臭フィルタにて脱臭して室内に戻す循環状態においては、排気通路とは別の通路として形成された循環通路を通して循環用空気を流動させるものであるから、脱臭フィルタにて脱臭される空気には、排気用ファンや排気通路に付着している臭い成分を含むことが無くなるため、脱臭フィルタの脱臭機能が早期に低下することを抑制しながらも、空気の脱臭を良好に行うことができる。
【００１３】
また、除塵フィルタにて除塵した空気を脱臭フィルタに流動させるものであるから、脱臭フィルタの脱臭機能が塵埃の付着により低下することを抑制できため、この点からも、脱臭フィルタの脱臭機能が早期に低下することを抑制できる。
【００１４】
そして、使用に伴って除塵フィルタには塵埃が堆積することになるので、除塵フィルタに対する清掃作業は適時行う必要があるが、除塵フィルタが、レンジフード本体の下方側から着脱自在に構成されているから、除塵フィルタの着脱を、レンジフード本体の下方側から容易に行うことができるため、除塵フィルタの清掃を容易に行うことができる。
【００１５】
つまり、除塵フィルタを適切な状態に維持するためのメンテナンス作業としての、除塵フィルタの清掃作業を、除塵フィルタをレンジフード本体の下方側から着脱しながら、良好に行うことができる。
【００１６】
要するに、本発明のレンジフードの特徴構成によれば、室内の空気を脱臭フィルタにて脱臭して室内に戻す循環状態において、脱臭フィルタの脱臭機能が早期に低下することを抑制しながらも、空気の脱臭を良好に行うことができ、しかも、脱臭フィルタを適切な状態に維持するためのメンテナンス作業を良好に行える。
【００１７】
本発明のレンジフードの更なる特徴構成は、前記レンジフード本体は、前記排気用吸込口が下方側に形成されたフード部と、当該フード部の上部に設けられ、かつ、前記排気用ファン及び前記循環用ファンを収容するファンケースと、を備え、
前記ファンケースは、ケース前壁部に前記循環用吸込口が形成され、
前記除塵フィルタは、前記ケース前壁部に沿う板状に形成された形態で、前記ケース前壁部の裏側箇所に配置され、
前記フード部の内面部には、前記除塵フィルタを着脱するためのスリット状のフィルタ挿脱孔が形成されている点にある。
【００１８】
すなわち、排気用吸込口が下方側に形成されたフード部の上部に設けるファンケースのケース前壁部に、循環用吸込口を形成するものであるから、循環用吸込口より吸込まれる空気は、調理排気が流動するフード部の内面部を流動しないため、臭い成分が少ない空気となるため、循環用吹出口から吹出す空気を、臭いのない清浄な空気にし易い。
【００１９】
また、除塵フィルタを、フード部の内面部に形成したスリット状のフィルタ挿脱孔を通して挿脱しながら、着脱するものであるから、除塵フィルタの着脱をフード部の内面部を開閉する等の手間なく行えるものとなるため、除塵フィルタを良好に着脱できる。
【００２０】
要するに本発明のレンジフードの更なる特徴構成によれば、循環用吹出口から吹出す空気を臭いのない清浄な空気に維持し易く、しかも、除塵フィルタを良好に着脱できる。
【００２１】
本発明のレンジフードの更なる特徴構成は、前記フィルタ挿脱孔を覆う長尺状のカバー体が、前記フード部の内面部に着脱自在に設けられている点にある。
【００２２】
すなわち、フィルタ挿脱孔を覆う長尺状のカバー体を設けることによって、フード部の内面部に沿って流動する調理排気が、フィルタ挿脱孔を通して循環通路に流動することを抑制して、循環通路が調理排気にて汚損されることを抑制できる。
【００２３】
そして、カバー体が、フード部の内面部に対して着脱できるものであるから、カバー体を外すことにより、除塵フィルタの着脱を良好に行えることになる。
【００２４】
要するに本発明のレンジフードの更なる特徴構成によれば、除塵フィルタの着脱を良好に行えるようにしながらも、循環通路が調理排気にて汚損されることを抑制できる。
【００２５】
本発明のレンジフードの更なる特徴構成は、排気の流れを整流する整流板が、前記フード部の内方側に、前記フィルタ挿脱孔を覆う形態で着脱自在に設けられ、
前記排気用吸込口が、前記整流板の外周縁に沿って環状に形成されている点にある。
【００２６】
すなわち、排気用吸込口を整流板の外周縁に沿って環状に形成するものであるから、調理排気を整流板に沿って流動させながら良好に吸込むことができる。
そして、整流板にてフィルタ挿脱孔を隠すことができるため、フード部を下方から見たときの外観を、すっきりした状態にできる。
【００２７】
また、整流板が着脱自在に設けられているから、整流板を外すことにより、除塵フィルタの着脱を良好に行えることになる。
【００２８】
要するに、本発明のレンジフードの更なる特徴構成によれば、除塵フィルタの着脱を良好に行えるようにしながらも、フード部を下方から見たときの外観を、すっきりした状態にできる。
【００２９】
本発明のレンジフードの更なる特徴構成によれば、前記脱臭フィルタが、前記循環用ファンよりも前記循環通路における上流側に位置する形態で前記ファンケースに装着されている点にある。
【００３０】
すなわち、脱臭フィルタにて脱臭された空気を循環用ファンにて通風させることになるので、循環ファンに臭い分が付着堆積することを防止して、臭い分が少ない清浄な空気を長期に亘って吹出すことができる。
【００３１】
つまり、脱臭フィルタを循環用ファンよりも循環通路における下流側に位置させると、脱臭前の臭い成分が多い空気を循環ファンにて通風させることになるので、循環ファンに臭い分が多量に付着堆積することにより、脱臭フィルタにて臭い成分を除去するようにしても、吹出される空気に臭い成分が多く残る虞があるが、脱臭フィルタにて脱臭された空気を循環用ファンにて通風させれば、循環ファンに臭い分が多量に付着堆積することを防止できるため、吹出される空気に臭い成分が多く残ることを回避できる。
【００３２】
要するに、本発明のレンジフードの更なる特徴構成によれば、臭い分が少ない清浄な空気を長期に亘って吹出すことができる。
【００３３】
本発明のレンジフードの更なる特徴構成は、前記ファンケースの前面側には、当該ファンケースを覆う幕板が設けられ、当該幕板には、当該幕板よりも前面側にある空気を前記循環用吸込口に向けて通過させる吸込用空気通過部が形成されている点にある。
【００３４】
すなわち、ファンケースの前面側を幕板にて覆うことによって、フード部の上部のファンケースの前面側を美麗にすることができる。
そして、幕板の前面側の空気を循環用吸込口に向けて通過させる吸込用空気通過部を、幕板に設けるものであるから、循環用吸込口を通して空気を適切に吸込むことができる。
【００３５】
要するに、本発明のレンジフードの更なる特徴構成によれば、循環用吸込口を通して空気を適切に吸込むことができるようにしながら、フード部の上部で且つファンケースの前面側を美麗にすることができる。
【００３６】
本発明のレンジフードの更なる特徴構成によれば、前記循環用吹出口を備え、前記ファンケースからの循環用の空気を案内する通気ダクトが、前記ファンケースの上部に接続され、
前記幕板に、前記循環用吹出口からの空気を当該幕板の前面側に通過させる吹出用空気通過部が形成されている点にある。
【００３７】
すなわち、ファンケースからの循環用の空気を、ファンケースの上部に接続した通気ダクトにて案内して、通気ダクトの循環用吹出口から吹出すものであるから、ファンケースに形成した循環用吸込口と循環用吹出口とを、上下方向に離間させて、清浄な空気を循環用吸込口から離れた循環用吹出口から吹出すことにより、循環用吹出口から吹出された清浄な空気が循環用吸込口に短絡流動することを回避できる。
【００３８】
しかも、幕板に、循環用吹出口からの空気を当該幕板の前面側に通過させる吹出用空気通過部を形成するものであるから、循環用吸込口から吹出された清浄な空気を幕板の前面側の空間に適切に流動させることができ、また、通気ダクトの前面側を幕板にて覆うことによって、フード部の上部のファンケースや通気ダクトの前面側を美麗にすることができる。
【００３９】
要するに、本発明のレンジフードの更なる特徴構成によれば、循環用吹出口から吹出された清浄な空気が循環用吸込口に短絡流動することを回避しながら、ファンケースや通気ダクトの前面側を美麗にすることができる。
【００４０】
本発明のレンジフードの更なる特徴構成は、前記フード部が、下向き開口の有底筒状のフードケースの内部に、下向き開口の有底筒状の内装パネルを備え、かつ、前記フードケースの側壁を形成するケース側壁部と前記内装パネルの側壁を形成するパネル側壁とを間隔を隔てて位置する形態に構成され、
前記内装パネルが、前記パネル側壁部の下端から外方に向けて延出するパネル下壁部を備えるように構成され、
前記ケース側壁部に、前記循環用吹出口が形成され、
前記ファンケースからの循環用の空気を前記循環用吹出口に案内する空気案内体が、前記ケース側壁部と前記パネル側壁部との間に位置する形態で設けられている点にある。
【００４１】
すなわち、フード部が、外装側ケーシングとして機能するフードケースの内部に、調理排気の案内体として機能する内装パネルを備え、かつ、フードケースの側壁を形成するケース側壁部と内装パネルの側壁を形成するパネル側壁部とを間隔を隔てて位置する形態であるから、調理排気を案内する内装パネルが熱くなるものの、外装側ケーシングとして機能するフードケースのケース側壁部が熱くなり難く、フードケースのケース側壁部を使用者が触ることがあっても、使用者に違和感を与えることを回避できる。
【００４２】
しかも、内装パネルが、パネル側壁部の下端から外方に向けて延出するパネル下壁部を備えるように構成されているから、調理排気を、パネル下壁部にても受止めるようにしながら、内装パネルによって適切に排気ファンに向けて案内流動させることができる。
【００４３】
そして、フードケースのケース側壁部と内装パネルのパネル側壁部との間の空間を有効利用して、空気案内体を設けて、ケース側壁部に形成した循環用吹出口から清浄な空気を吹出すようにする。
フード部の外周縁部を構成するケース側壁部は、キッチン内の空間に突出する状態で位置することになるから、ケース側壁部に形成した循環用吹出口から清浄な空気をキッチンの空間に良好に流動させ易い。
【００４４】
要するに本発明のレンジフードの更なる特徴構成によれば、フードケースと内装パネルとからなるフード部の構成を有効利用して、空気案内体を外部に露出しない美麗な状態で設けるようにしながら、清浄な空気をキッチンの空間に良好に流動させることができる。
【００４５】
本発明のレンジフードの更なる特徴構成は、前記循環用吹出口が、前記ケース側壁部のうちの、横側部に対応する横側壁部分に形成されている点にある。
【００４６】
すなわち、ファンケースの前面側に形成した循環用吸込口に対して空気が流動する方向が前方側から後方側に向かう前後方向であるのに対して、ケース側壁部のうちの、横側部に対応する横側壁部分に形成された循環用吹出口から空気を吹出す方向がフードの横幅方向に沿う横方向になる。
【００４７】
したがって、循環用吸込口が空気を吸込む前後方向と交差する横方向に向けて、循環用の空気を吹出すことになるので、循環用吸込口から吹出された清浄な空気が循環用吸込口に短絡流動することを回避しながら、清浄な空気をキッチン内の空間に良好に流動させることができる。
【００４８】
要するに、本発明のレンジフードの更なる特徴構成によれば、循環用の空気が短絡流動することを回避しながら、清浄な空気をキッチン内の空間に良好に流動させることができる。
【００４９】
本発明のレンジフードの更なる特徴構成は、前記空気案内体が、前記フードケースの上壁部と、断面形状がＵ字状を有し、かつ、前記上壁部に密着する通路形成部材とから構成されている点にある。
【００５０】
すなわち、ファンケースからの循環用の空気を循環用吹出口に案内する空気案内体が、断面形状がＵ字状の通路形成部材をフードケースの上壁部に密着させる状態で設けることによって構成される。
【００５１】
つまり、フードケースの上壁部を利用しながら、フードケースの上壁部に密着させる通路形成部材を設けることによって、空気案内体を形成するものであるから、簡素な構成にて空気案内体を設けることができる。
【００５２】
要するに、本発明のレンジフードの更なる特徴構成によれば、簡素な構成で空気案内体を設けることができる。
【００５３】
本発明のレンジフードの更なる特徴構成は、前記排気用ファン及び前記循環用ファンの運転を制御する制御部をさらに備え、
前記制御部は、前記排気用ファンの運転条件が満たされたことを条件として、前記循環用ファンを停止させた状態で前記排気用ファンを運転し、かつ、前記循環用ファンの運転条件が満たされたことを条件として、前記排気用ファンを停止させた状態で前記循環用ファンを運転するように構成されている点にある。
【００５４】
すなわち、排気用ファンを運転して、調理排気を排出するときには、循環用ファンが停止され、また、循環用ファンを運転して、キッチン内の空気を循環させるときには、排気用ファンが停止される。
【００５５】
したがって、調理排気を排出するときに、循環用ファンが作動して、循環通路や脱臭フィルタ等が調理排気にて汚損されることを回避でき、しかも、循環運転をするときに、排気用ファンが作動して、キッチン内の空気が不必要に排出されることを回避できる。
【００５６】
要するに、本発明のレンジフードの更なる特徴構成によれば、循環通路や脱臭フィルタ等が調理排気にて汚損されることを回避でき、しかも、キッチン内の空気が不必要に排出されることを回避できる。
【図面の簡単な説明】
【００５７】
【図１】レンジフードの装着部の正面図
【図２】レンジフードの装着部の側面図
【図３】レンジフードの正面側の斜視図
【図４】レンジフードの背面側の斜視図
【図５】レンジフードの下面側の斜視図
【図６】レンジフードの整流板を外した状態の斜視図
【図７】レンジフードの除塵フィルタを引出した状態の斜視図
【図８】レンジフードの幕板を外した状態の斜視図
【図９】レンジフードの排気ファン装着側の縦断側面図
【図１０】レンジフードの循環用吸込口側の縦断側面図
【図１１】レンジフードの分解斜視図
【図１２】カバー体の斜視図
【図１３】カバー体の装着状態の縦断正面図
【図１４】制御構成を示すブロック図
【図１５】第２実施形態のレンジフードの下面側の斜視図
【図１６】第２実施形態のフードカバーの背面側の斜視図
【図１７】第２実施形態の幕板を外した状態のレンジフードの斜視図
【図１８】第２実施形態のレンジフードの排気ファン装着側の縦断側面図
【図１９】第２実施形態のレンジフードの循環用吸込口側の縦断側面図
【図２０】第２実施形態の空気案内筒部の装着部の縦断正面図
【図２１】第２実施形態のレンジフードの分解斜視図
【図２２】第３実施形態のレンジフードの斜視図
【発明を実施するための形態】
【００５８】
〔第１実施形態〕
以下、本発明の実施形態を図面に基づいて説明する。
（レンジフードの全体構成）
図１及び図２に示すように、加熱調理器としてのガスコンロＧＣが、キッチンのキッチンカウンタ１に装着され、ガスコンロＧＣの上方箇所に、油、ゴミ、水蒸気等の汚染物質を含んだ調理排気を捕捉して外部に排出するレンジフード２が装着されている。
尚、レンジフード２の横側には吊戸棚等が配置されることになるが、吊戸棚等の記載は省略する。
【００５９】
レンジフード２には、下方側の扁平状のフード部Ｆ１、及び、扁平状のフード部Ｆ１の上部の後方側に配置される直方体状のファン装着部Ｆ２を備えるレンジフード本体Ｆが設けられ、そして、ファン装着部Ｆ２の前面部には、伸縮調整自在な幕板Ｆ３が設けられている。尚、幕板Ｆ３としては、設置箇所の長さに合わせて切断する等、伸縮しないタイプのものを用いてもよい。
【００６０】
図５に示すように、フード部Ｆ１の下方側には、環状の排気用吸込口Ｅａ（図９参照）が形成され、また、図４に示すように、ファン装着部Ｆ２の上部には、排気用吹出口Ｅｂが形成されている。
【００６１】
ファン装着部Ｆ２には、図９に示すように、排気用ファンＥｆ及び循環用ファンＤｆを収容するファンケースＫが、フード部Ｆ１の上部に接続される状態で設けられている。
図８及び図１０に示すように、ファンケースＫの前面側のケース前壁部Ｋｍに、循環用吸込口Ｄａが形成され、循環用吹出口Ｄｂを備えた通気ダクト３が、ファンケースＫからの循環用の空気を案内する状態で、ファンケースＫの上部に接続されている。
尚、図８に示すように、通気ダクト３の前面部には、ダクト長さを調節するための切断位置を示す切断用の凹溝が、ダクト長さ方向に沿って形成されている。
【００６２】
図３に示すように、幕板Ｆ３に、当該幕板Ｆ３の前面側の空気を循環用吸込口Ｄａに向けて通過させる吸込用空気通過部Ｍａ、および、循環用吹出口Ｄｂからの空気を当該幕板Ｆ３の前面側に通過させる吹出用空気通過部Ｍｂが形成されている。
図９及び図１０に示すように、レンジフード本体Ｆには、排気用吸込口Ｅａと排気用吹出口Ｅｂとを連通する排気通路Ｈが、フード部Ｆ１とファン装着部Ｆ２とに亘る状態で形成され、排気用ファンＥｆが、排気通路Ｈに通風作用するように構成されている。
【００６３】
また、図９及び図１０に示すように、レンジフード本体Ｆには、循環用吸込口Ｄａと当該循環用吸込口Ｄａからの空気を室内に吹出す循環用吹出口Ｄｂとを連通する循環通路Ｊが、通気ダクト３が接続されたファンケースＫに形成されている。
【００６４】
図１０に示すように、循環通路Ｊを流動する空気に対して除塵作用する除塵フィルタＮが、ケース前壁部Ｋｍに沿う板状に形成された状態で、ケース前壁部Ｋｍの裏側箇所に配置され、また、図９に示すように、当該除塵フィルタＮを通過した後の空気に対して脱臭作用する脱臭フィルタＱが、循環用ファンＤｆよりも循環通路Ｊにおける上流側に位置させる状態でファンケースＫに装着されている。
【００６５】
したがって、レンジフード２は、排気用吸込口Ｅａから吸込んだ調理排気を排気用吹出口Ｅｂから外部に排出する排気状態と、循環用吸込口Ｄａから吸込んだ室内の空気を循環用吹出口Ｄｂから室内に吹出す循環状態とで運転できるように構成されている。
【００６６】
（フード部の詳細）
図９に示すように、フード部Ｆ１が、下向き開口の有底筒状のフードケース４の内部に、下向き開口の有底筒状の内装パネル５を備える二重壁構造に形成されている。つまり、フード部Ｆ１の外面部が、フードケース４にて形成され、フード部Ｆ１の内面部が、内装パネル５にて形成されている。
内装パネル５の側壁を形成するパネル側壁部５ｓが、下端側ほど外方側に位置する傾斜状に形成されている。つまり、フード部Ｆ１の内面部が、下拡がり状に形成されている。
尚、内装パネル５は、フードケース４に対して着脱自在に支持されることになるが、本実施形態においては、内装パネル５の支持構成についての詳細は省略する。
【００６７】
フードケース４の側壁を形成するケース側壁部４ｓと内装パネル５の側壁を形成するパネル側壁部５ｓとが、間隔を隔てて位置させるように構成されている。
また、フードケース４の上壁を形成するケース上壁部４ａと内装パネル５の上壁を形成するパネル上壁部５ａとの間にも、ケース側壁部４ｓとパネル側壁部５ｓとの間隔よりも小さな間隔が設けられている。
【００６８】
ケース上壁部４ａ及びパネル上壁部５ａには、内装パネル５にて案内されて流動する調理排気をファン装着部Ｆ２に向けて流動させる調理排気流動通路Ｂが形成されている。
本実施形態においては、パネル上壁部５ａに、調理排気をファン装着部Ｆ２に向けて案内する調理排気案内用筒体６が設けられている。
【００６９】
内装パネル５が、パネル側壁部５ｓの下端から外方側に向けて延出するパネル下壁部５ｄを備えて、フード部Ｆ１の下面を形成するように構成されている。
本実施形態においては、フードケース４が、ケース側壁部４ｓの下端から内方側に向けて延出するケース下壁部４ｄを備えるように形成されている。そして、フード部Ｆ１の下面が、パネル下壁部５ｄを主要部としながらも、ケース下壁部４ｄをも用いて構成されているが、パネル下壁部５ｄを外方側に大きく延出させて、ケース下壁部４ｄを省略する形態で実施してもよい。
【００７０】
そして、本実施形態においては、図５及び図９に示すように、内装パネル５の内方側に、筒状となるパネル側壁部５ｓの開口面積よりも小さな平板状の整流板７が、パネル下壁部５ｄと同じ高さとなる状態で配置され、パネル側壁部５ｓと整流板７の外周縁との間に、上述の排気用吸込口Ｅａが環状となる形態で形成されている。
【００７１】
整流板７は、図９に示すように、後方側の左右両側部に設けた被係止金具８ａを内装パネル５に設けた係止金具８ｂに係止した状態で、前方側を上方側に揺動させることにより、前方側の左右両側部に設けた連結金具９ａを内装パネル５に設けたロック部９ｂに連結する形態で装着されている。
尚、ロック部９ｂは、連結金具９ａに形成したロック孔に係合するロックピンを係合側に弾性付勢する状態で備えて、整流板７を上方側に揺動させると自動的にロック状態に切換るものであるが、本実施形態においては、ロック部９ｂの詳細な説明は省略する。
【００７２】
図５に示すように、フード部Ｆ１の前縁部の下面には、フード部Ｆ１の下方空間を照らす照明部Ｌが設けられ、また、図１及び図２に示すように、フード部Ｆ１の前縁部の前面には、操作部Ｓが設けられている。
この操作部Ｓには、照明部Ｌを点灯状態と消灯状態とに切換える照明スイッチ、排気用ファンＥｆの風力を切換えかつ運転を指令する排気用運転スイッチ、排気用ファンＥｆの運転を停止する切りスイッチ、循環用ファンＤｆの風力を切換えかつ運転を指令する循環用運転スイッチ、循環用ファンＤｆの運転を停止する切りスイッチ等の各種スイッチや、排気用ファンＥｆ及び循環用ファンＤｆの運転状態を示す表示ランプ等の各種のランプ類が配置されることになる。
【００７３】
（運転制御の詳細）
図１４に示すように、レンジフード２の運転を制御する制御部Ａが設けられ、この制御部Ａが、操作部Ｓの各種スイッチの指令情報に基づいて、照明部Ｌ、排気用ファンＥｆ及び循環用ファンＤｆの運転や、各種ランプ類の作動を制御することになる。
【００７４】
制御部Ａが、排気用ファンＥｆの運転条件が満たされたことを条件として、循環用ファンＤｆを停止させた状態で排気用ファンＥｆを運転し、且つ、循環用ファンＤｆの運転条件が満たされたことを条件として、排気用ファンＥｆを停止させた状態で循環用ファンＤｆを運転するように構成されている。
【００７５】
すなわち、排気用運転スイッチにて運転が指令されると、排気用ファンＥｆの運転条件が満たされて、排気用ファンＥｆの運転を開始することになり、そのときに循環用ファンＤｆを運転しているときには、循環用ファンＤｆを停止することになる。
また、循環用運転スイッチにて運転が指令されると、循環用ファンＤｆの運転条件が満たされて、循環用ファンＤｆの運転を開始することになり、そのときに排気用ファンＥｆを運転しているときには、排気用ファンＥｆを停止することになる
【００７６】
（ファン装着部の詳細）
図９〜図１１に示すように、ファンケースＫは、循環用吸込口Ｄａが形成されるケース前壁部Ｋｍを備えるケース本体Ｋｈの上部に、脱臭フィルタＱを横倒れ姿勢で備える中継ケースＫｔを備え、中継ケースＫｔにおける脱臭フィルタＱの装着部を上方から覆う上部ケースＫｕを備える形態に構成され、循環用ファンＤｆが、上部ケースＫｕの上部に載置される状態で設けられている。
【００７７】
図１１に示すように、中継ケースＫｔにおける循環用吸込口Ｄａの存在側に対応する部分には、排気用吹出口Ｅｂを形成する排気用筒部１１が接続され、この排気用筒部１１の装着側に対応する部分が、脱臭フィルタＱの装着側に対応する部分よりも上下高さが高く形成されている。
【００７８】
ケース本体Ｋｈの上壁には、図１１に示すように、循環通路Ｊを形成するための循環用孔１２、及び、排気通路Ｈを形成するための排気用孔１３が形成されている。
図１０に示すように、中継ケースＫｔには、排気用孔１３と排気用筒部１１とを連通する中継筒部１４が形成されている。
【００７９】
図９に示すように、ケース本体Ｋｈには、排気用ファンＥｆが、上述の調理排気流動通路Ｂに対して吸引作用する状態で備えられている。
図１１に示すように、排気用ファンＥｆには、排気用案内体１０ａが排気ファンケーシング１０から延びる状態で設けられ、その排気用案内体１０ａの先端部が、図１０に示すように、ケース本体Ｋｈの上壁における排気用孔１３に対応する部分に接続されている。
【００８０】
したがって、ガスコンロＧＣを燃焼させて加熱調理することにより発生する調理排気が、排気用ファンＥｆの吸引作用により、整流板７やパネル下壁部５ｄにて案内されながら排気用吸込口Ｅａに流入し、排気用吸込口Ｅａに流入した調理排気が、内装パネル５にて案内されながら調理排気流動通路Ｂに流動し、その後、排気用ファンＥｆにて排気用吹出口Ｅｂから吹出され、排気ダクト１１Ａを通して外部に排出されることになる。
【００８１】
つまり、本実施形態においては、排気通路Ｈが、内装パネル５と整流板７との間の内方側空間、調理排気流動通路Ｂ、排気ファンケーシング１０の内部空間、中継筒部１４の内部空間、及び、排気用筒部１１の内部空間にて形成されることになる。
【００８２】
図１０及び図１１に示すように、ケース本体Ｋｈのケース前壁部Ｋｍにおける循環用吸込口Ｄａに対応する箇所に、循環用吸込口Ｄａから吸い込まれた空気を上方側に案内する空気導入体１５が、前面及び上面を開口し、かつ、下方側ほど前後幅が狭くなる形態で設けられている。
図１０に示すように、空気導入体１５の上端部分が、ケース本体Ｋｈの上壁の循環用孔１２を貫通する状態で設けられている。
【００８３】
したがって、循環用吸込口Ｄａから吸込まれて除塵フィルタＮを通過した空気が、空気導入体１５によって、ケース本体Ｋｈの上壁と中継ケースＫｔとで囲まれた空間内に流動し、流動した空気が、図９に示すように、脱臭フィルタＱの下方側空間に流動して、脱臭フィルタＱを通過した後に、上部ケースＫｕの内部に流動する。
そして、上部ケースＫｕの内部に流動した空気が、循環用ファンＤｆの循環ファンケーシング１６を通して通気ダクト３に流動し、通気ダクト３の循環用吹出口Ｄｂから吹出されることになる。
【００８４】
つまり、本実施形態においては、循環通路Ｊが、空気導入体１５の内部空間、ケース本体Ｋｈの上壁と中継ケースＫｔとで囲まれた空間、上部ケースＫｕの内部空間、循環ファンケーシング１６の内部空間、及び、通気ダクト３の内部の空間にて形成されることになる。
【００８５】
（除塵フィルタの装着構成）
図７に示すように、ケース前壁部Ｋｍの裏側箇所に配置され除塵フィルタＮが、レンジフード本体Ｆの下方側から着脱自在に構成されている。
すなわち、図７及び図１０に示すように、フード部Ｆ１の内面部、つまり、内装パネル５のパネル上壁部５ａに、除塵フィルタＮをケース前壁部Ｋｍに沿って移動させることにより着脱するフィルタ挿脱孔１７が、スリット状に形成されている。
【００８６】
図６及び図１０に示すように、フィルタ挿脱孔１７を覆う長尺状のカバー体１８が、フード部Ｆ１の内面部に着脱自在に設けられている。
すなわち、図１２及び図１３に示すように、カバー体１８は、横断面形状がＵ字状に形成されている。そして、カバー体１８の一端部には、内装パネル５のパネル上壁部５ａを係止する係止部１８ａが形成され、カバー体１８の他端部には、内装パネル５のパネル上壁部５ａを係止する弾性係止体１９及び操作片１８ｂが設けられている。
【００８７】
つまり、カバー体１８を外すときには、操作片１８ｂを把持した状態で、カバー体１８を上方に持ち上げて係止部１８ａの係止を解除しながら、カバー体１８を係止部１８ａが存在する一端側に向けて移動操作して、弾性係止体１９の係止を解除し、その状態で、下方側に引き出すことになる。
また、カバー体１８を装着するときには、操作片１８ｂを把持した状態で、カバー体１８の一端部の係止部１８ａを内装パネル５のパネル上壁部５ａに係止させ、その状態において、カバー体１８の他端側を上方に移動させて、弾性係止体１９を弾性変形させながら、内装パネル５のパネル上壁部５ａに係止させることになる。
【００８８】
したがって、除塵フィルタＮを清掃のために取り外すときには、先ず、図６に示すように、整流板７を取り外し、次に、カバー体１８を外した後、図７に示すように、除塵フィルタＮをフード部Ｆ１の下方に引き出すことになる。
【００８９】
また、清掃後の除塵フィルタＮを装着するときには、図７に示すように、除塵フィルタＮを、フィルタ挿脱孔１７を通して上方に挿入し、次に、カバー体１８を装着し、その後、整流板７を装着することになる。
【００９０】
〔第２実施形態〕
次に、第２実施形態を説明するが、この第２実施形態は、循環用吹出口Ｄｂの形成位置が第１実施形態と異なり、それに伴って、循環通路Ｊの構成が異なるものであるが、その他の構成は、第１実施形態と同様であるので、以下の説明においては、第１実施形態と異なる構成についてのみ説明する。
【００９１】
この第２実施形態においては、図１５に示すように、循環用吹出口Ｄｂが、フード部Ｆ１のフードケース４のケース側壁部４ｓに形成されている。
具体的には、左右の循環用吹出口Ｄｂが、ケース側壁部４ｓのうちの、前側部に対応する前側壁部分に形成されている。
【００９２】
図２０及び図２１に示すように、空気導入体１５の横一側部に、循環させる空気を上方側から下方側に案内する筒状の空気案内筒部１５Ａが形成されている。
そして、第１実施形態の通気ダクト３に代えて、循環用ファンＤｆからの空気を横方向に案内した後に下方に向けて流動される中継ダクト２０が設けられている。
【００９３】
図２０に示すように、中継ケースＫｔには、中継ダクト２０からの空気を空気案内筒部１５Ａに流動させる中継用筒部２１が形成され、ファンケースＫからの循環用の空気が、フード部Ｆ１におけるフードケース４と内装パネル５の間の空間に導かれるように構成されている。
【００９４】
そして、図１９及び図２０に示すように、ファンケースＫからの循環用の空気を循環用吹出口Ｄｂに案内する空気案内体Ｒが、ケース側壁部４ｓとパネル側壁部５ｓとの間に位置させる状態で設けられている。
本実施形態においては、空気案内体Ｒが、フードケース４のケース上壁部４ａと、断面形状がＵ字状で且つケース上壁部４ａに密着させる通路形成部材２２とから構成されている。
【００９５】
〔第３実施形態〕
次に、第３実施形態を説明するが、この第３実施形態は、循環用吹出口Ｄｂの形成位置が第２実施形態と異なり、その他の構成は、第２実施形態と同様であるので、以下の説明においては、第２実施形態と異なる構成についてのみ説明する。
【００９６】
図２２に示すように、循環用吹出口Ｄｂが、ケース側壁部４ｓのうちの、横側部に対応する横側壁部分に形成されている。
尚、図示は省略するが、この第３実施形態においても、上記第２実施形態と同様に、フードケース４のケース上壁部４ａと通路形成部材２２とによって、ファンケースＫからの循環用の空気を循環用吹出口Ｄｂに案内する空気案内体Ｒを構成することになる。
【００９７】
〔別実施形態〕
次に、別実施形態を列記する。
（１）上記第１〜第３実施形態では、レンジフード本体Ｆが、扁平状のフード部Ｆ１の上部にファン装着部Ｆ２を備える形態に構成される場合を例示したが、レンジフード本体Ｆの全体を、下拡がりのフード状に形成する等、レンジフード本体Ｆの具体構成は各種変更できる。
【００９８】
（２）上記第１〜第３実施形態では、レンジフード本体Ｆのフード部Ｆ１に、整流板７を設けて、内装パネル５の内面と整流板７の外周縁との間を環状の排気用吸込口Ｅａに形成する場合を例示したが、整流板７を省略して、内装パネル５にて形成される下向きの開口を、排気用吸込口Ｅａとする形態で実施してもよい。
【００９９】
（３）上記第１〜第３実施形態では、ファンケースＫのケース前壁部Ｋｍに循環用吸込口Ｄａを形成するようにしたが、例えば、循環用吸込口Ｄａを、フード部Ｆ１のケース側壁部４ｓに形成して、空気案内体Ｒと同様な構成にて、循環用吸込口Ｄａから吸込んだ空気をファンケースＫに導く形態で実施してもよい。
【０１００】
（４）上記第１〜第３実施形態では、循環用ファンＤｆや排気用ファンＥｆを操作部Ｓの指令に基づいて運転する場合を例示したが、例えば、ガスコンロＧＣ等の加熱調理器を作動させると、排気用ファンＥｆの運転条件が満たされたとして、循環用ファンＤｆを停止して排気用ファンＥｆを運転して、その後、設定時間が経過するあるいは臭いセンサにて調理排気の臭いが少なると、循環用ファンＤｆの運転条件が満たされたとして、排気用ファンＥｆを停止して循環用ファンＤｆを運転するように構成してもよい。
【０１０１】
（５）上記第１〜第３実施形態では、キッチンに設置する加熱調理器として、ガスコンロＧＣを例示したが、加熱調理器としてはＩＨ式加熱調理器でもよい。
【０１０２】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１０３】
３      通気ダクト
４      フードケース
４ｓ    ケース側壁部
５      内装パネル
５ｓ    パネル側壁部
５ｄ    パネル下壁部
７      整流板
１７    フィルタ挿脱孔
１８    カバー体
２２    通路形成部材
Ａ      制御部
Ｄａ    循環用吸込口
Ｄｂ    循環用吹出口
Ｄｆ    循環用ファン
Ｅａ    排気用吸込口
Ｅｂ    排気用吹出口
Ｅｆ    排気用ファン
Ｆ      レンジフード本体
Ｆ１    フード部
Ｆ２    排気ファン部
Ｆ３    幕板
Ｈ      排気通路
Ｊ      循環通路
Ｍａ    吸込用空気通過部
Ｍｂ    吹出用空気通過部
Ｎ      除塵フィルタ
Ｋ      ファンケース
Ｑ      脱臭フィルタ
Ｒ      空気案内体
【図１】
2018021719.tif 000003
【図２】
2018021719.tif 000004
【図３】
2018021719.tif 000005
【図４】
2018021719.tif 000006
【図５】
2018021719.tif 000007
【図６】
2018021719.tif 000008
【図７】
2018021719.tif 000009
【図８】
2018021719.tif 000010
【図９】
2018021719.tif 000011
【図１０】
2018021719.tif 000012
【図１１】
2018021719.tif 000013
【図１２】
2018021719.tif 000014
【図１３】
2018021719.tif 000015
【図１４】
2018021719.tif 000016
【図１５】
2018021719.tif 000017
【図１６】
2018021719.tif 000018
【図１７】
2018021719.tif 000019
【図１８】
2018021719.tif 000020
【図１９】
2018021719.tif 000021
【図２０】
2018021719.tif 000022
【図２１】
2018021719.tif 000023
【図２２】
2018021719.tif 000024